(57)【要約】【課題】使用者が操作情報を必要とする場合に当該情報が自ずと表示されるリモコンを提供する。【解決手段】差込口４１に入力手段４２を差し込み、再生スイッチ３を押すと、映像情報が表示画面１２上に表示される。おしり洗浄スイッチ２２を操作すると、シャワーノズルから温水が噴出すると共に、表示画面１２が映像情報の表示からおしり洗浄の操作情報の表示に自動的に切り替わる。停止スイッチ２１を押すと、シャワーノズルからの温水の噴出が停止し、その後所定時間、温水洗浄装置の操作スイッチ２１〜２８のいずれの操作もされないと、表示画面１２が映像情報の表示に自動的に切り替わる。【選択図】図１
2006194009.tif 000002
【特許請求の範囲】
【請求項１】
トイレ用機器を操作するための操作手段を有したリモコンであって、
映像及び操作情報を表示可能な表示画面を有したリモコンにおいて、
該表示画面に映像を表示している状態において、該操作手段が操作されたときには少なくともその操作手段に関連した操作情報を表示することを特徴とするリモコン。
【請求項２】
請求項１において、該表示画面に表示させる映像情報の入力手段が設けられていることを特徴とするリモコン。
【請求項３】
請求項１又は２において、トイレ用機器は温水洗浄装置であり、該温水洗浄装置の使用中には、少なくとも使用されている温水洗浄装置の機能に関する操作情報を表示することを特徴とするリモコン。
【請求項４】
請求項３において、温水洗浄装置の使用終了後、所定時間経過後に、その間に操作手段の操作がない場合、操作情報の表示を停止することを特徴とするリモコン。
【発明の詳細な説明】
【技術分野】
【０００１】
本発明は、洋風便器の温水洗浄装置等のトイレ用機器を操作するリモコンに関する。
【背景技術】
【０００２】
温水洗浄装置は、周知の通り、洋風便器に着座した人体の臀部に温水を噴射してその洗浄を行うものであり、濡れた臀部を乾かすための温風乾燥装置や便鉢内の臭気含有空気を除臭処理するための脱臭装置等を付帯することもある。暖房便座は、便座にヒータを設けたものである。
【０００３】
これらのトイレ用機器の操作を行うためにトイレルームの壁面等にリモコンを設けることがある。
【０００４】
トイレ用リモコンの操作盤には、肛門洗浄用操作スイッチ（シャワースイッチ）、ビデ洗浄用操作スイッチ、温風を吹き出させるドライスイッチや、温水量、温水温度、温風量、温風温度の調節スイッチ等の温水洗浄装置用スイッチが設けられている。また、便座温度調節スイッチ等の暖房便座用スイッチ、更には脱臭装置用スイッチが設けられているものもある。
【０００５】
また、トイレ使用中の退屈感をまぎらわすために、トイレ用リモコンの液晶表示画面にテレビ映像や、自然風景等のリラクセーション用映像を表示可能としたものが提案されている（特開２００４−２１１５０４号公報）。
【０００６】
特開２００２−２４２２６７号公報には、メモリカードを利用してインターネット情報を画面表示可能としたトイレ用リモコンが記載されている。
【特許文献１】特開２００２−２４２２６７号公報
【特許文献２】特開２００４−２１１５０４号公報
【発明の開示】
【発明が解決しようとする課題】
【０００７】
上記特開２００４−２１１５０４号公報では、リラクセーション用映像表示は、画面上に表示された映像スイッチ領域に指を近づけることにより表示される。この映像表示画面から操作画面に切替えを行うには、指を画面に近づける。
【０００８】
このように、上記特開２００４−２１１５０４号公報のリモコンでは、温水洗浄装置を使用するに際して温水洗浄装置の状態（例えば水温や水勢）を知りたいときには、リラクセーション用映像を切り替えるための専用の動作を行う必要があり、煩わしい。また、使用方法が分らない人は映像切り替えを行うことができないおそれもある。
【０００９】
本発明は、かかる不便を解消し、使用者が操作情報を必要とする場合に当該情報が自ずと表示されるリモコンを提供することを目的とする。
【課題を解決するための手段】
【００１０】
本発明（請求項１）のリモコンは、トイレ用機器を操作するための操作手段を有したリモコンであって、映像及び操作情報を表示可能な表示画面を有したリモコンにおいて、該表示画面に映像を表示している状態において、該操作手段が操作されたときには少なくともその操作手段に関連した操作情報を表示することを特徴とするものである。
【００１１】
請求項２のリモコンは、請求項１において、該表示画面に表示させる映像情報の入力手段が設けられていることを特徴とするものである。
【００１２】
請求項３のリモコンは、請求項１又は２において、トイレ用機器は温水洗浄装置であり、該温水洗浄装置の使用中には、少なくとも使用されている温水洗浄装置の機能に関する操作情報を表示することを特徴とするものである。
【００１３】
請求項４のリモコンは、請求項３において、温水洗浄装置の使用終了後、所定時間経過後に、その間に操作手段の操作がない場合、操作情報の表示を停止することを特徴とするものである。
【発明の効果】
【００１４】
本発明のリモコンでは、画面に映像を表示している状態にあるときに操作手段が操作されると、少なくともこの操作手段に関連した操作情報が表示される。
【００１５】
例えば、リラクセーション用映像を表示している状態においてシャワースイッチを操作すると、洗浄強さや水温等が表示される。そのため、使用者がわざわざ画面切り替え操作を行うことなく、使用者が必要とする情報が画面に表示される。
【００１６】
請求項２のリモコンにあっては、表示画面に使用者の気に入った映像（例えば、市販のビデオ映像、録画したテレビ映像、自分で撮影した風景、写真など）を表示させることができ、リラクセーション作用や、快適なトイレ使用を行うことができる。
【００１７】
請求項３のリモコンにあっては、例えば上記のように、シャワー洗浄に関する操作情報表示を表示させることができる。また、臀部の乾燥を行うときには温風の温度や風量の表示を行うこともできる。
【００１８】
請求項４のリモコンにあっては、温水洗浄装置の使用が終了し、その後、所定の間操作手段が操作されないと、操作情報の表示が停止し、たとえば元のリラクセーション用映像等の画面に戻る。従って、使用者が必要としなくなった情報がいつまでも表示されることがなく、表示画面がすっきりとしたものになる。
【発明を実施するための最良の形態】
【００１９】
以下に図面を参照して本発明の実施の形態を詳細に説明する。図１は、実施の形態に係るリモコンの正面図、図２は図１のリモコンの左側面図である。
【００２０】
リモコン１０は、中空の長方形盤状のケーシング１１と、該ケーシング１１の前面の大部分を占めるように配置された表示画面１２と、該表示画面１２より下側に配置された、温水洗浄装置の操作手段としての各種スイッチ２１〜２８と、該表示画面１２より左側に配置された、映像情報の入力手段としての各種スイッチ３１〜３８と、ケーシング１１の前面右下に配置されたスピーカ４０と、ケーシング１１の側面に配置された差込口４１等を備えている。この差込口４１に対し、メモリカードやビデオテープ等の映像情報の記憶手段４２が挿入可能となっている。
【００２１】
図示は省略するが、リモコン１０の内部には回路基板が搭載されている。この回路基板には、表示画面駆動回路のほか、温水洗浄装置操作信号を発信するための発信回路等も搭載されている。
【００２２】
表示画面１２は、映像情報と温水洗浄装置の操作情報の表示が可能となっている。
【００２３】
電源スイッチ３１を押してリモコン１０をＯＮの状態とし、差込口４１に記憶手段４２を差し込み、次いで再生スイッチ３３を押すと、記憶手段４２に記憶された映像情報が表示画面１２上に表示される。早送りスイッチ３４又は巻き戻しスイッチ３５を操作すると、映像が早送り又は巻き戻しされる。停止スイッチ３２を押すと、映像が停止する。また、音量スイッチ３６を押すと、スピーカ４０から発生する音量が変化する。
【００２４】
映像情報が表示されている状態において、おしり洗浄スイッチ２２又はビデ洗浄スイッチ２３を操作すると、シャワーノズルから温水が噴出すると共に、表示画面１２が映像情報の表示からおしり洗浄又はビデ洗浄の操作情報の表示に自動的に切り替わる。なお、図１ではおしり洗浄スイッチ２２を押したときの表示画面を図示しており、おしり洗浄中である旨と、おしり洗浄の強さ及び温水の温度が表示されている。
【００２５】
このおしり又はビデ洗浄中に強弱スイッチ２５〜２７を押すと、シャワーノズルからの温水の噴出強さが弱、中、強の３段階に変化すると共に、表示画面内の「強さ」の表示が弱、中、強のいずれかに切り替わる。また、温度スイッチ２８を押すと、シャワーノズルから噴出する温水の温度が変化すると共に、表示画面１２内の温度表示が変化する。
【００２６】
停止スイッチ２１を押すと、シャワーノズルからの温水の噴出が停止する。また、この停止スイッチ２１を押してから所定時間の間、例えば１〜１０秒程度の間、温水洗浄装置の操作スイッチ２１〜２８のいずれの操作もされない場合、表示画面１２が温水洗浄装置の操作情報の表示から映像情報の表示に自動的に切り替わる。
【００２７】
また、映像情報が表示されている状態において、温風スイッチ２４を操作すると、ファンから臀部に向けて温風が送風されると共に、表示画面１２がファンの操作情報の表示に自動的に切り替わる。
【００２８】
この温風の送風中に強弱スイッチ２５〜２７を押すと、ファンからの温風の送風強さが弱、中、強の３段階に変化すると共に、表示画面内の「強さ」の表示が弱、中、強のいずれかに切り替わる。また、温度スイッチ２８を押すと、ファンから送風される温風の温度が変化すると共に、表示画面１２内の温度表示が変化する。
【００２９】
停止スイッチ２１を押すと、ファンからの送風が停止する。また、この停止スイッチ２１を押してから所定時間の間、例えば１〜１０秒程度の間、温水洗浄装置の操作スイッチ２１〜２８のいずれの操作もされない場合、表示画面１２が温水洗浄装置の操作情報の表示から映像情報の表示に自動的に切り替わる。
【００３０】
このような本発明のリモコン１０であれば、トイレ使用中にリモコン１０の表示画面１２で映像を見ることができ、退屈感がなく、またリラックス効果を得ることができる。そして、温水洗浄装置の操作スイッチ２１〜２８を操作すると、温水洗浄装置の操作情報が自動的に表示される。そのため、使用者がわざわざ画面切り替え操作を行うことなく、使用者が必要とする情報を得ることができる。
【００３１】
また、所望の映像情報を記録した記憶手段４２を選択することにより、表示画面１２に使用者の気に入った映像（例えば、市販のビデオ映像、録画したテレビ映像、自分で撮影した風景、写真など）を表示させることができ、極めて快適なトイレ使用を行うことができる。
【００３２】
さらに、温水洗浄装置の使用が終了し、その後、所定の間操作手段が操作されないと、操作情報の表示が停止し、たとえば元のリラクセーション用映像等の画面に戻る。従って、使用者が必要としなくなった情報がいつまでも表示されることがなく、表示画面がすっきりとしたものになる。
【００３３】
なお、図１，２に示すリモコンは、本発明のリモコンの実施の形態の一例であり、本発明はその要旨を超えない限り、なんら図示のものに限定されるものではない。例えば、映像情報を表示画面１２上に表示中に温水洗浄装置の操作スイッチを操作すると、映像情報の表示上に温水洗浄装置の操作情報が重ねて表示されるようにしてもよく、温水洗浄装置の操作情報が表示画面１２の一部に小さく表示されるようにしてもよく、逆に映像情報が表示画面１２の一部に小さく表示されるようにしてもよい。これらの場合、常に映像情報を見て楽しむことができる。
【００３４】
また、このような温水洗浄装置の操作情報と映像情報とを合わせて表示するモードと、温水洗浄装置の操作情報のみを表示するモードとを、モード切替スイッチ等の手段によって選択可能としてもよい。
【００３５】
さらに、映像情報の画面表示が不要な使用者のために、映像情報の表示モードと非表示モードとを切り替え可能としてもよい。
【００３６】
温水洗浄装置の操作情報の表示を停止するタイミングは、温水洗浄装置の操作スイッチを操作してから所定時間経過後であってもよく、停止スイッチの操作直後であってもよい。
【００３７】
上記メモリカードやビデオテープ等の記憶手段に代えて又は該記憶手段と共に、映像情報としてテレビを表示可能としてもよい。但し、上記記憶手段の方がリモコン１０の製造コストが安価であると共に、使用者の好みの映像を表示可能な点で好ましい。
【００３８】
メモリカード等の記憶手段を用いず、ＵＳＢケーブルを用いてパソコンからインターネット情報等の映像情報をリモコンに取り込んでもよい。また、リモコン操作により、リモコン本体や記憶手段に記憶された複数の映像情報の中から所望の映像情報を選択できるようにしてもよい。
【００３９】
トイレルーム内の温度、湿度、現在の時刻等を、映像情報表示中及び／又は温水洗浄装置の操作情報表示中に表示させてもよい。
【図面の簡単な説明】
【００４０】
【図１】実施の形態に係るリモコンの正面図である。
【図２】図１のリモコンの左側面図である。
【符号の説明】
【００４１】
１０  リモコン
１１  ケーシング
１２  表示画面
２１  停止スイッチ
２２  おしり洗浄スイッチ
２３  ビデ洗浄スイッチ
２４  温風スイッチ
２５，２６，２７  強弱スイッチ
２８  温度スイッチ
３１  電源スイッチ
３２  停止スイッチ
３３  再生スイッチ
３４  早送りスイッチ
３５  巻き戻しスイッチ
３６  音量スイッチ
４０  スピーカ
４１  差込口
４２  入力手段
【図１】
2006194009.tif 000003
【図２】
2006194009.tif 000004